(57)【要約】【課題】固定ボルトや固定ナットで被固定物を対象物に固定した際、その固定ボルトや固定ナットを外部に露呈させることを困難にすることができる固定ボルトおよび固定ナット用防犯具の提供を課題とする。【解決手段】ナンバープレート１を固定するための固定ボルト２の頭部２ａおよびワッシャー２ｂとナンバープレート１の表面との間にはスペーサ１０によって空隙が形成されている。冠着部材２０は、固定ボルト２の頭部２ａおよびワッシャー２ｂに冠着する。この冠着部材２０の側壁部２２の下端部には、固定ボルト２の頭部２ａおよびワッシャー２ｂとナンバープレート１の表面との間に挿入するボルト用係止爪２３が形成されている。中空円筒形の形状を有する周壁部材３０の内壁面の下端部には円状突起部が形成されている。この円状突起部が、冠着部材２０の側壁部２２を押圧し、周壁部材用係止爪２４，２５はこの円状突起部に係合する。【選択図】  図４
2006162051.tif 000002
【特許請求の範囲】
【請求項１】
固定ボルトが挿通可能な被固定物を当該固定ボルトと螺合する雌ネジ部を有する対象物
に前記固定ボルトで固定した際、前記固定ボルトの頭部の下端面と前記被固定物の表面と
の間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能なボルト用係止爪が形成されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成されてい
ることを特徴とする固定ボルト用防犯具。
【請求項２】
前記スペース形成手段は、前記固定ボルトの頭部の下端面に当接する前記固定ボルトが
挿通可能なスペーサであることを特徴とする請求項１に記載の固定ボルト用防犯具。
【請求項３】
前記スペース形成手段は、前記固定ボルトの頭部の下端面に当接するワッシャーに形成
された凸部であることを特徴とする請求項１に記載の固定ボルト用防犯具。
【請求項４】
前記スペース形成手段は、前記固定ボルトの頭部の下面側に当該頭部と一体的に形成さ
れたテーパー部であることを特徴とする請求項１に記載の固定ボルト用防犯具。
【請求項５】
前記被固定物はナンバープレートであり、前記対象物は自動車の車体であり、前記周壁
部材は、前記ナンバープレートの表面の全体を覆う合成樹脂製の保護カバーと一体的に形
成されていることを特徴とする請求項１に記載の固定ボルト用防犯具。
【請求項６】
前記中空円筒状の前記周壁部材の内側に嵌入可能な中空円筒状の形状を有し、その内径
が前記周壁部材の前記円状突起部の上面部分の内径以下である係止解除具をさらに具える
ことを特徴とする請求項１ないし請求項５のいずれかの項に記載の固定ボルト用防犯具。
【請求項７】
対象物に固定されているボルトが挿通可能な被固定物を当該ボルトと螺合する固定ナッ
トで前記ボルトに固定した際、前記固定ナットの下端面と前記被固定物の表面との間に空
隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成されてい
ることを特徴とする固定ナット用防犯具。
【請求項８】
前記スペース形成手段は、前記固定ナットの下端面に当接する前記固定ボルトが挿通可
能なスペーサであることを特徴とする請求項７に記載の固定ナット用防犯具。
【請求項９】
前記スペース形成手段は、前記固定ナットの下面側に当該固定ナットと一体的に形成さ
れたテーパー部であることを特徴とする請求項７に記載の固定ナット用防犯具。
【請求項１０】
前記中空円筒状の前記周壁部材の内側に嵌入可能な中空円筒状の形状を有し、その内径
が前記周壁部材の前記円状突起部の上面部分の内径以下である係止解除具をさらに具える
ことを特徴とする請求項７ないし請求項９のいずれかの項に記載の固定ナット用防犯具。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
例えば、図１９に示したように、従来からナンバープレート１は固定ボルト２によって
自動車等の車体Ｍに固定されている。
【０００４】
近年、駐車中の自動車等の車体Ｍからナンバープレート１のみを盗むという犯罪が増加
している。この犯罪を行なう者は、一般に市販されているドライバ等の器具を用いて、固
定ボルト２を外し短時間のうちにナンバープレート１のみを盗んでいく。
【０００５】
このような犯罪を防ぐために、図２０に示したような特殊な形状の凹部１０３が形成さ
れている固定ボルト２が既に提案されている。図２０に示した固定ボルト２は、凹部１０
３に嵌合する凸部１０４を有する専用の器具１０５を用いた場合のみ容易に車体Ｍから外
せるように構成されている。
【発明の開示】
【発明が解決しようとする課題】
【０００６】
しかしながら、図２０に示した固定ボルト２を用いてナンバープレート１を車体Ｍに固
定した場合でも、固定ボルト２の頭部が露出した状態となっているので、ペンチやプライ
ヤー等の一般に市販されている工具を用いてボルト２を緩め、犯罪者がナンバープレート
１を比較的短時間で盗むことは可能であった。
【課題を解決するための手段】
【０００７】
以上の問題を解決するために本発明は、固定ボルトが挿通可能な被固定物を当該固定ボ
ルトと螺合する雌ネジ部を有する対象物に前記固定ボルトで固定した際、前記固定ボルト
の頭部の下端面と前記被固定物の表面との間に空隙を形成するスペース形成手段と、天板
部と該天板部の周縁部から下方に延在する複数枚の側壁部とを有し、前記固定ボルトの頭
部に冠着する冠着部材であって、前記複数枚の側壁部の下端部には、前記固定ボルトの頭
部に冠着した際、前記被固定物の表面と前記固定ボルトの頭部の下端面との間に形成され
ている空隙部分に挿入可能なボルト用係止爪が形成されている冠着部材と、前記固定ボル
トの頭部に冠着した前記冠着部材の外側面部を覆う中空円筒状の周壁部材であって、該周
壁部材の内周壁面の下端部には、内側方向に突設され前記冠着部材の側壁部を押圧する円
状突起部が形成されている周壁部材とから構成され、前記冠着部材には、前記周壁部材の
前記円状突起部の上面部分に係合する周壁部材用係止爪であって、前記天板部の周縁部か
ら下方に延在する周壁部材用係止爪が形成されていることを特徴とするものである。
【０００８】
ここで、前記スペース形成手段は、前記固定ボルトの頭部の下端面に当接する前記固定
ボルトが挿通可能なスペーサとしてもよいし、前記スペース形成手段は、前記固定ボルト
の頭部の下端面に当接するワッシャーに形成された凸部としてもよい。
【０００９】
また、前記被固定物はナンバープレートであり、前記対象物は自動車の車体であり、前
記周壁部材は、前記ナンバープレートの表面の全体を覆う合成樹脂製の保護カバーと一体
的に形成されることとしてもよい。
【００１０】
以上の手段において、前記中空円筒状の前記周壁部材の内側に嵌入可能な中空円筒状の
形状を有し、その内径が前記周壁部材の前記円状突起部の上面部分の内径以下である係止
解除具をさらに具えることとしてもよい。
【００１１】
また、先の問題を解決するために本発明は、対象物に固定されているボルトが挿通可能
な被固定物を当該ボルトと螺合する固定ナットで前記ボルトに固定した際、前記固定ナッ
トの下端面と前記被固定物の表面との間に空隙を形成するスペース形成手段と、天板部と
該天板部の周縁部から下方に延在する複数枚の側壁部とを有し、前記固定ナットに冠着す
る冠着部材であって、前記複数枚の側壁部の下端部には、前記固定ナットに冠着した際、
前記被固定物の表面と前記固定ナットの下端面との間に形成されている空隙部分に挿入可
能なナット用係止爪が形成されている冠着部材と、前記固定ナットに冠着した前記冠着部
材の外側面部を覆う中空円筒状の周壁部材であって、該周壁部材の内周壁面の下端部には
、内側方向に突設され前記冠着部材の側壁部を押圧する円状突起部が形成されている周壁
部材とから構成され、前記冠着部材には、前記周壁部材の前記円状突起部の上面部分に係
合する周壁部材用係止爪であって、前記天板部の周縁部から下方に延在する周壁部材用係
止爪が形成されていることを特徴とするものである。
【００１２】
ここで、前記スペース形成手段は、前記固定ナットの下端面に当接する前記固定ボルト
が挿通可能なスペーサであってもよいし、前記スペース形成手段は、前記固定ナットの下
面側に当該固定ナットと一体的に形成されたテーパー部であってもよい。
【００１３】
以上の手段において前記中空円筒状の前記周壁部材の内側に嵌入可能な中空円筒状の形
状を有し、その内径が前記周壁部材の前記円状突起部の上面部分の内径以下である係止解
除具をさらに具えてもよい。
【発明の効果】
【００１４】
本発明によれば、固定ボルトを用いてこれと螺合する対象物に被固定物を固定した場合
や、固定ナットを用いて対象物に固定されているボルトに被固定物を固定した場合に、固
定ボルトや固定ナットを緩める際に使用される固定ボルトの頭部や固定ナットを外部に露
呈させることを著しく困難にすることができて、被固定物を盗むことを困難にすることが
できる。
【発明を実施するための最良の形態】
【００１５】
以下、図面を用いて本発明の実施例を説明する。
【実施例１】
【００１６】
図１は本発明の実施例１が装着されている被固定物であるナンバープレートを示した斜
視図であり、図２はその分解斜視図である。
【００１７】
図１および図２において、１は対象物である車体Ｍに装着される被固定物であるナンバ
ープレートであり、１０は、固定ボルト２の頭部の下端面に当接してこの下端面とナンバ
ープレート１の表面との間に空隙を形成するために配設されているスペーサである。
【００１８】
２０は固定ボルト２の頭部に冠着する冠着部材であり、３０は冠着部材２０の外側面を
覆う周壁部材である。本実施例１においては、冠着部材２０は金属によって構成し、周壁
部材３０も金属によって構成してあるが、この冠着部材２０を構成する材料や周壁部材３
０を構成する材料は、以上の材料に限定されるものではない。
【００１９】
ここで図３，図４を用いて冠着部材２０および周壁部材３０の構成を説明する。図３は
冠着部材２０および周壁部材３０の構成を示す分解斜視図であり、図４は固定ボルト２の
頭部２ａに装着された状態での冠着部材２０および周壁部材３０の断面図である。なお図
３および図４において、２ｂは固定ボルト２の頭部２ａの下端面に密着するように配設さ
れているワッシャーである。
【００２０】
先ず、金属製の冠着部材２０の構成について説明する。
【００２１】
冠着部材２０は、天板部２１とこの天板部２１の周縁部から下方（天板部２１から視て
ボルト２の方向）に延在する複数枚の側壁部２２および周壁部材用係止爪２４，２５によ
って構成されている。
【００２２】
側壁部２２の下端部には、図４に示したように、固定ボルト２の頭部２ａおよびワッシ
ャー２ｂとナンバープレート１の表面との間にスペーサ１０によって形成される空隙Ｓに
挿入され、ワッシャー２ｂを介して固定ボルト２の頭部２ａの下端面に当接するボルト用
係止爪２３が形成されている。
【００２３】
この金属製の弾性を有する冠着部材２０は、固定ボルト２の頭部２ａおよびワッシャー
２ｂに容易に被せることができるようにその側壁部２２および周壁部材用係止爪２４，２
５が若干開いた状態に形成されている。
【００２４】
周壁部材３０の内周壁面の下端部には、図４に示したように、その全周に亘って内側方
向に突設された円状突起部３１が形成されている。この周壁部材３０の円状突起部３１に
押圧されることにより、冠着部材２０のボルト用係止爪２３は、固定ボルト２の頭部２ａ
の下端面にワッシャー２ｂを介して当接した状態を維持することができる。
【００２５】
ここで、図３に示したように、弾性を有する金属製の冠着部材２０に配設されている周
壁部材用係止爪２４，２５は、その下端部が、図５に示すように、周壁部材３０の円状突
起部３１の上面部分に当接するように形成されている。図５に示したように、この周壁部
材用係止爪２４，２５は円状突起部３１の上面に略直角な状態で当接するように形成され
ているので、冠着部材２０に装着されている周壁部材３０を容易に外すことはできない。
【００２６】
以上説明したように、本実施例によれば、固定ボルト２の頭部２ａに冠着部材２０およ
び周壁部材３０が装着された図４に示した状態においては、固定ボルト２の頭部２ａを外
部に露呈することは著しく困難となる。
【００２７】
以上のように構成された本実施例１においては、自動車の修理等でナンバープレートを
外す必要が生じたときには、図６に示すような専用の係止解除具６０を用いることにより
、周壁部材３０と冠着部材２０とを容易に外すことができる。
【００２８】
この係止解除具６０は、図７（ａ）ないし（ｃ）に示したように中空円筒形の形状を有
する部材である。係止解除具６０の外径は、図７（ａ），（ｂ）に示すように周壁部材３
０の内側に嵌入可能な値に選ばれている。また、係止解除具６０の内径は、周壁部材３０
の円状突起部３１の上面部分の内径以下となるように選ばれている。
【００２９】
このような係止解除具６０を、図７（ａ）に示すように周壁部材３０に嵌入させて、そ
の先端部を図７（ｂ）に示したように円状突起部３１の上面部分に当接させると、冠着部
材２０の周壁部材用係止爪２４，２５と円状突起部３１の係合状態を解除させることがで
きる。従って図７（ｃ）に示したように、係止解除部材６０と共に周壁部材３０をボルト
頭部から離すことができる。
【００３０】
図７（ｃ）のように冠着部材２０を完全に露出させれば、この冠着部材２０はボルトの
頭部から容易に外すことができる。従ってボルトの頭部を容易に露出させることができて
ナンバープレートを容易に外すことができる。
【００３１】
ここで、図８に示したように周壁部材３０の内周壁面の上部側に突起部３２，３３を設
け、この突起部３２，３３の位置と対応するように係止解除部材６０の外周壁面に溝部６
１，６２を設けて、この溝部６１，６２がそれぞれ突起部３２，３３と合致した場合のみ
、係止解除部材６０が周壁部材３０に嵌入することができるように構成してもよい。
【００３２】
また、以上説明した本実施例１においては、固定ボルト２の頭部２ａおよびワッシャー
２ｂとナンバープレート１の表面との間の空隙Ｓを、図９（ａ）に示したような固定ボル
ト２が挿通可能なスペーサ１０により形成する構成となっているが、この空隙Ｓを形成す
るスペース形成手段はスペーサ１０に限られるものではない。例えば、図９（ｂ）に示し
たようにワッシャー２ｂの下面側に複数個の凸部２ｃを配設するようにして、この凸部２
ｃをスペース形成手段としてもよいし、またワッシャー２ｂを使用しない場合には、固定
ボルト２の頭部２ａの下面側に複数個の凸部を配設するようにして、この凸部をスペース
形成手段としてもよい。さらに、図１０（ａ）に示したようにボルト２の頭部２ａの下面
側に、この下面側の周縁部とナンバープレート１の表面との間に空隙Ｓが形成されるよう
なスペーサ部２ｓを頭部２ａと一体的に形成するようにしてもよいし、図１０（ｂ）に示
したようにテーパー部２ｔを、頭部２ｂの下面側に頭部２ｂと一体的となるように形成し
てもよい。図１０（ｂ）に示したようなテーパー部２ｔをスペース形成手段とした場合に
は、図１１に示したように冠着部材２０のボルト用係止爪２３の先端部がテーパー部２ｔ
のテーパー面に当接することにより、この図１１に示した状態が維持される。
【００３３】
さらに、本実施例１のように被固定物がナンバープレート１である場合には、図１２に
示したように、ナンバープレート１の表面の全体を覆う合成樹脂製の保護カバー７０に、
周壁部材３０を一体的に形成するように構成することもできる。
【００３４】
以上説明した実施例１は、対象物である車体Ｍに被固定物であるナンバープレート１を
固定ボルト２で固定する場合に防犯機能を発揮する本発明の実施例である。しかしながら
、本発明の防犯効果は、このような対象物に被固定物を固定する固定ボルトに限定される
ものではない。例えば、図１３に示したように、コンクリートの床Ｆに埋設固定されてい
るボルト３に、自動販売機や変圧器等の被固定物５を固定ナット４によって固定する場合
にも、本発明を適用すれば、この固定ナットに対する防犯効果を得ることができる。
【００３５】
以下、図面を用いて、固定ナットに対する防犯具となる本発明の実施例を説明する。
【実施例２】
【００３６】
図１４は本発明の実施例２の構成を示す斜視図であり、図１５はその分解斜視図である
。
【００３７】
図１４および図１５において、Ｆはコンクリート等で形成された床であり、３はこの床
Ｆにその一部が埋設固定されているボルトである。５は、ボルト３と固定ナット４とによ
って対象物である床Ｆに固定される自動販売機や変圧器等の被固定物である。４ｂは固定
ナット４の下端面に当接するワッシャー、１０はワッシャー４ｂと被固定物５の表面との
間に空隙を形成するためのスペーサである。
【００３８】
冠着部材２０と周壁部材３０との構成は、図３に示した実施例１の構成と同一の構成で
あるのでその説明は省略する。ただし、本実施例２では、実施例１におけるボルト用係止
爪２３と同一のものをナット用係止爪２６とする。
【００３９】
以上のように構成された本実施例２においては、図１５に示したように、被固定物５を
挿通しているボルト３にスペーサ１０，ワッシャー４ｂを順次挿通させた後、固定ナット
４を締めて被固定物５を対象物である床Ｆに固定する。このような状態で、固定ナット４
およびワッシャー４ｂに冠着部材２０を被せた後に周壁部材３０を装着して図１４に示し
た状態にする。この図１４に示した状態の断面図を図１６に示す。
【００４０】
図１４および図１６に示したように冠着部材２０を被せて周壁部材３０を装着した状態
において、この冠着部材２０と周壁部材３０とは、図４に示されている実施例１と同様の
状態となる。即ち、固定ナット４に冠着部材２０および周壁部材３０が装着された図１４
および図１６に示した状態においては、固定ナット４を外部に露呈することは著しく困難
となる。
【００４１】
なお、本実施例２においても、実施例１と同様に図６に示したような専用の係止解除具
６０を用いることにより、周壁部材３０と冠着部材とを容易に外すことができる。
【００４２】
さらに本実施例２においても、固定ナット４の下端面の周縁部と被固定物５の表面との
間に空隙Ｓを形成するスペース形成手段は、スペーサ１０に限られるものではない。この
スペース形成手段は、図１７（ａ）に示したような固定ナット４の下面側に一体的に形成
されたスペーサ部４ｓであってもよいし、図１７（ｂ）に示したように固定ナット４の下
面側に一体的に形成されたテーパー部４ｔであってもよい。
【００４３】
スペース形成手段を、図１７（ｂ）に示したようなテーパー部４ｔとした場合には、図
１８に示したように冠着部材２０のナット用係止爪２６の先端部がテーパー部４ｔのテー
パー面に当接することにより、この図１８に示した状態が維持される。
【図面の簡単な説明】
【００４４】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の構成の説明図である。
【図６】本発明の実施例１の構成の説明図である。
【図７】本発明の実施例１の構成の説明図である。
【図８】本発明の実施例１の構成の説明図である。
【図９】本発明の実施例１の構成の説明図である。
【図１０】本発明の実施例１の構成の説明図である。
【図１１】本発明の実施例１の構成の説明図である。
【図１２】本発明の実施例１の構成の説明図である。
【図１３】本発明の実施例２の説明図である。
【図１４】本発明の実施例２の構成を示す斜視図である。
【図１５】本発明の実施例２の構成を示す分解斜視図である。
【図１６】本発明の実施例２の構成を示す断面図である。
【図１７】本発明の実施例２の構成の説明図である。
【図１８】本発明の実施例２の構成の説明図である。
【図１９】従来の車体に装着されているナンバープレートの斜視図である。
【図２０】従来の車体に装着されているナンバープレートの斜視図である。
【符号の説明】
【００４５】
１  ナンバープレート
２  固定ボルト
２ａ  頭部
２ｂ，４ｂ  ワッシャー
２ｃ  凸部
２ｓ，４ｓ  スペーサ部
２ｔ，４ｔ  テーパー部
３  ボルト
４  固定ナット
５  被固定物
１０  スペーサ
２０  冠着部材
２１  天板部
２２  側壁部
２３  ボルト用係止爪
２４，２５  周壁部材用係止爪
２６  ナット用係止爪
３０  周壁部材
３１  円状突起部
３２，３３  突起部
６０  係止解除部材
６１，６２  溝部
７０  保護カバー
Ｆ  床
Ｍ  車体
Ｓ  空隙
【図１】
2006162051.tif 000003
【図２】
2006162051.tif 000004
【図３】
2006162051.tif 000005
【図４】
2006162051.tif 000006
【図５】
2006162051.tif 000007
【図６】
2006162051.tif 000008
【図７】
2006162051.tif 000009
【図８】
2006162051.tif 000010
【図９】
2006162051.tif 000011
【図１０】
2006162051.tif 000012
【図１１】
2006162051.tif 000013
【図１２】
2006162051.tif 000014
【図１３】
2006162051.tif 000015
【図１４】
2006162051.tif 000016
【図１５】
2006162051.tif 000017
【図１６】
2006162051.tif 000018
【図１７】
2006162051.tif 000019
【図１８】
2006162051.tif 000020
【図１９】
2006162051.tif 000021
【図２０】
2006162051.tif 000022